【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
ネットワーク経由でサービスを提供するサーバが搭載する機器選択支援装置であって、
前記サービスを利用するクライアントとネットワーク通信を行うためのネットワークインタフェースと、
所定のサーバ蓄積データを保存するサーバ蓄積データ保存部と、
前記サーバ蓄積データの特徴を表す情報である指標データを保存する指標データ保存部と、
前記クライアントからの前記指標データの取得リクエストを処理する指標データリクエスト処理部と、
前記サーバ蓄積データ保存部のデータより前記指標データを作成し、前記指標データ保存部に前記指標データを保存する指標データ処理部とを備え、
前記ネットワークインタフェースに、前記指標データの取得リクエストが届くと、
前記指標データリクエスト処理部は、前記指標データ保存部から前記指標データを取得し、前記ネットワークインタフェースより送信する、機器選択支援装置。
【請求項２】
ネットワーク経由でサービスを提供するサーバが搭載する機器選択支援装置であって、
前記サービスを利用するクライアントとネットワーク通信を行うためのネットワークインタフェースと、
前記クライアントからの所定のサーバ蓄積データの取得リクエストを処理するサーバ蓄積データ取得リクエスト処理部と、
前記サーバ蓄積データの特徴を表す情報である指標データを前記サーバ蓄積データのデータ形式に変換する指標データ変換部と、
前記サーバ蓄積データを保存するサーバ蓄積データ保存部と、
前記サーバ蓄積データ保存部のデータより前記指標データを作成し、前記指標データ変換部を用いて前記指標データを前記サーバ蓄積データのデータ形式に変換し、前記サーバ蓄積データ保存部に保存する指標データ処理部とを備え、
前記ネットワークインタフェースに、前記指標データの取得リクエストが届くと、
前記サーバ蓄積データ取得リクエスト処理部は、前記サーバ蓄積データ保存部から前記変換された指標データを前記サーバ蓄積データとして取得し、前記ネットワークインタフェースより送信する、機器選択支援装置。
【請求項３】
ネットワーク経由でサービスを提供するサーバが搭載する機器選択支援装置であって、
前記サービスを利用するクライアントとネットワーク通信を行うためのネットワークインタフェースと、
所定のサーバ蓄積データを保存するサーバ蓄積データ保存部と、
前記サーバ蓄積データの特徴を表す情報である指標データを保存する指標データ保存部と、
前記クライアントからの前記指標データ以外のデータの取得リクエストを処理するリクエスト処理部と、
前記リクエストに対するレスポンスデータを作成するレスポンスデータ作成部と、
前記サーバ蓄積データ保存部のデータより前記指標データを作成し、前記指標データ保存部に前記指標データを保存する指標データ処理部とを備え、
前記ネットワークインタフェースに、前記指標データ以外のデータの取得リクエストが届くと、
前記リクエスト処理部は、前記指標データ保存部から前記指標データを取得し、前記レスポンスデータ作成部より前記レスポンスデータを取得し、前記レスポンスデータに前記指標データを追記し、前記ネットワークインタフェースを用いて送信する、機器選択支援装置。
【請求項４】
前記指標データを作成する際に、前記指標データ処理部が
予め番組のジャンル情報を保持し、前記サーバ蓄積データ保存部より前記ジャンル情報の各ジャンルについてのサーバ蓄積データ数または全サーバ蓄積データ数に対する割合であるデータ数情報を取得し、前記データ数情報の多かった前記ジャンルから順にソートし、
前記データ数情報の多い順に１件以上前記ジャンル及び前記データ数情報を前記指標データとして前記指標データ保存部または前記サーバ蓄積データ保存部に保存する、請求項１から３のいずれかに記載の機器選択支援装置。
【請求項５】
前記指標データを作成する際に、前記指標データ処理部が
前記サーバ蓄積データ保存部から新しい順に１件以上の前記サーバ蓄積データを取得し、前記指標データとして前記指標データ保存部または前記サーバ蓄積データ保存部に保存する、請求項１から３のいずれかに記載の機器選択支援装置。
【請求項６】
前記指標データを作成する際に、前記指標データ処理部が
前記サーバ蓄積データ保存部に保存されているすべてのサーバ蓄積データのタイトルを取得し、前記タイトル毎のサーバ蓄積データ数または全サーバ蓄積データ数に対する割合であるデータ数情報を算出し、前記データ数情報の多い順でタイトルをソートし、
前記データ数情報の多い順に１件以上前記タイトル及び前記データ数情報を前記指標データとして前記指標データ保存部または前記サーバ蓄積データ保存部に保存する、請求項１から３のいずれかに記載の機器選択支援装置。
【請求項７】
前記サーバ蓄積データとは録画済番組である、請求項１から６のいずれかに記載の機器選択支援装置。
【請求項８】
前記サーバ蓄積データとは録画予約である、請求項１から６のいずれかに記載の機器選択支援装置。
【請求項９】
前記サービスは、サーバ蓄積データ再生である、請求項１から８のいずれかに記載の機器選択支援装置。
【請求項１０】
前記サービスは録画予約である、請求項１から８のいずれかに記載の機器選択支援装置。
【請求項１１】
ネットワーク経由でサービスを提供するサーバが実行する機器選択支援方法であって、
所定のサーバ蓄積データを保存するサーバ蓄積データ保存ステップと、
前記サーバ蓄積データの特徴を表す情報である指標データを保存する指標データ保存ステップと、
前記クライアントからの前記指標データの取得リクエストを処理する指標データリクエスト処理ステップと、
前記サーバ蓄積データ保存ステップで保存されたデータより前記指標データを作成し、前記指標データを保存する指標データ処理ステップとを備え、
前記サービスを利用するクライアントとネットワーク通信を行うためのネットワークインタフェースに、前記指標データの取得リクエストが届くと、
前記指標データリクエスト処理ステップにおいては、前記指標データを取得し、前記ネットワークインタフェースより送信する、機器選択支援方法。
【請求項１２】
ネットワーク経由でサービスを提供するサーバが実行する機器選択支援方法であって、
クライアントからの所定のサーバ蓄積データの取得リクエストを処理するサーバ蓄積データ取得リクエスト処理ステップと、
前記サーバ蓄積データの特徴を表す情報である指標データを前記サーバ蓄積データのデータ形式に変換する指標データ変換ステップと、
前記サーバ蓄積データを保存するサーバ蓄積データ保存ステップと、
前記サーバ蓄積データ保存ステップで保存されたデータより前記指標データを作成し、前記指標データ変換ステップを用いて前記指標データを前記サーバ蓄積データのデータ形式に変換し、保存する指標データ処理ステップとを備え、
前記サービスを利用するクライアントとネットワーク通信を行うためのネットワークインタフェースに、前記指標データの取得リクエストが届くと、
前記サーバ蓄積データ取得リクエスト処理ステップにおいては、前記変換された指標データを前記サーバ蓄積データとして取得し、前記ネットワークインタフェースより送信する、機器選択支援方法。
【請求項１３】
ネットワーク経由でサービスを提供するサーバが実行する機器選択支援方法であって、
所定のサーバ蓄積データを保存するサーバ蓄積データ保存ステップと、
前記サーバ蓄積データの特徴を表す情報である指標データを保存する指標データ保存ステップと、
前記クライアントからの前記指標データ以外のデータの取得リクエストを処理するリクエスト処理ステップと、
前記リクエストに対するレスポンスデータを作成するレスポンスデータ作成ステップと、
前記サーバ蓄積データ保存ステップで保存されたデータより前記指標データを作成し、前記指標データを保存する指標データ処理ステップとを備え、
前記サービスを利用するクライアントとネットワーク通信を行うためのネットワークインタフェースに、前記指標データ以外のデータの取得リクエストが届くと、
前記リクエスト処理ステップでは、前記指標データを取得し、前記レスポンスデータを取得し、前記レスポンスデータに前記指標データを追記し、前記ネットワークインタフェースを用いて送信する、機器選択支援方法。
【請求項１４】
請求項１１記載の機器選択支援方法の、前記サーバ蓄積データ保存ステップと、前記指標データ保存ステップと、前記指標データリクエスト処理ステップと、前記指標データ処理ステップとをコンピュータに実行させるためのプログラム。
【請求項１５】
請求項１２記載の機器選択支援方法の、前記サーバ蓄積データ取得リクエスト処理ステップと、前記指標データ変換ステップと、前記サーバ蓄積データ保存ステップと、前記指標データ処理ステップとをコンピュータに実行させるためのプログラム。
【請求項１６】
請求項１３記載の機器選択支援方法の、前記サーバ蓄積データ保存ステップと、前記指標データ保存ステップと、前記リクエスト処理ステップと、前記レスポンスデータ作成ステップと、前記指標データ処理ステップとをコンピュータに実行させるためのプログラム。
【請求項１７】
請求項１４、１５又は１６記載のプログラムを記録した記録媒体であって、コンピュータにより処理可能な記録媒体。
【手続補正２】
【補正対象書類名】明細書
【補正対象項目名】００１９
【補正方法】変更
【補正の内容】
【００１９】
上記の目的を達成するために、第１の本発明は、
ネットワーク経由でサービスを提供するサーバが搭載する機器選択支援装置であって、
前記サービスを利用するクライアントとネットワーク通信を行うためのネットワークインタフェースと、
所定のサーバ蓄積データを保存するサーバ蓄積データ保存部と、
前記サーバ蓄積データの特徴を表す情報である指標データを保存する指標データ保存部と、
前記クライアントからの前記指標データの取得リクエストを処理する指標データリクエスト処理部と、
前記サーバ蓄積データ保存部のデータより前記指標データを作成し、前記指標データ保存部に前記指標データを保存する指標データ処理部とを備え、
前記ネットワークインタフェースに、前記指標データの取得リクエストが届くと、
前記指標データリクエスト処理部は、前記指標データ保存部から前記指標データを取得し、前記ネットワークインタフェースより送信することを特徴とする機器選択支援装置である。
【手続補正３】
【補正対象書類名】明細書
【補正対象項目名】００２０
【補正方法】変更
【補正の内容】
【００２０】
また、第２の本発明は、
ネットワーク経由でサービスを提供するサーバが搭載する機器選択支援装置であって、
前記サービスを利用するクライアントとネットワーク通信を行うためのネットワークインタフェースと、
前記クライアント機器からの所定のサーバ蓄積データの取得リクエストを処理するサーバ蓄積データ取得リクエスト処理部と、
前記サーバ蓄積データの特徴を表す情報である指標データを前記サーバ蓄積データのデータ形式に変換する指標データ変換部と、
前記サーバ蓄積データを保存するサーバ蓄積データ保存部と、
前記サーバ蓄積データ保存部のデータより前記指標データを作成し、前記指標データ変換部を用いて前記指標データを前記サーバ蓄積データのデータ形式に変換し、前記サーバ蓄積データ保存部に保存する指標データ処理部とを備え、
前記ネットワークインタフェースに、前記指標データの取得リクエストが届くと、
前記サーバ蓄積データ取得リクエスト処理部は、前記サーバ蓄積データ保存部から前記変換された指標データを前記サーバ蓄積データとして取得し、前記ネットワークインタフェースより送信することを特徴とする機器選択支援装置である。
【手続補正４】
【補正対象書類名】明細書
【補正対象項目名】００２１
【補正方法】変更
【補正の内容】
【００２１】
また、第３の本発明は、
ネットワーク経由でサービスを提供するサーバが搭載する機器選択支援装置であって、
前記サービスを利用するクライアントとネットワーク通信を行うためのネットワークインタフェースと、
所定のサーバ蓄積データを保存するサーバ蓄積データ保存部と、
前記サーバ蓄積データの特徴を表す情報である指標データを保存する指標データ保存部と、
前記クライアントからの前記指標データ以外のデータの取得リクエストを処理するリクエスト処理部と、
前記リクエストに対するレスポンスデータを作成するレスポンスデータ作成部と、
前記サーバ蓄積データ保存部のデータより前記指標データを作成し、前記指標データ保存部に前記指標データを保存する指標データ処理部とを備え、
前記ネットワークインタフェースに、前記指標データ以外のデータの取得リクエストが届くと、
前記リクエスト処理部は、前記指標データ保存部から前記指標データを取得し、前記レスポンスデータ作成部より前記レスポンスデータを取得し、前記レスポンスデータに前記指標データを追記し、前記ネットワークインタフェースを用いて送信することを特徴とする機器選択支援装置である。
【手続補正５】
【補正対象書類名】明細書
【補正対象項目名】００２２
【補正方法】変更
【補正の内容】
【００２２】
また、第４の本発明は、
前記指標データを作成する際に、前記指標データ処理部が
予め番組のジャンル情報を保持し、前記サーバ蓄積データ保存部より前記ジャンル情報の各ジャンルについてのサーバ蓄積データ数または全サーバ蓄積データ数に対する割合であるデータ数情報を取得し、前記データ数情報の多かった前記ジャンルから順にソートし、
前記データ数情報の多い順に１件以上前記ジャンル及び前記データ数情報を前記指標データとして前記指標データ保存部またはサーバ蓄積データ保存部に保存することを特徴とする第１から３のいずれかの本発明の機器選択支援装置である。
【手続補正６】
【補正対象書類名】明細書
【補正対象項目名】００２３
【補正方法】変更
【補正の内容】
【００２３】
また、第５の本発明は、
前記指標データを作成する際に、前記指標データ処理部が
前記サーバ蓄積データ保存部から新しい順に１件以上の前記サーバ蓄積データを取得し、前記指標データとして前記指標データ保存部またはサーバ蓄積データ保存部に保存することを特徴とする第１から３のいずれかの本発明の機器選択支援装置である。
【手続補正７】
【補正対象書類名】明細書
【補正対象項目名】００２４
【補正方法】変更
【補正の内容】
【００２４】
また、第６の本発明は、
前記指標データを作成する際に、前記指標データ処理部が
前記サーバ蓄積データ保存部に保存されているすべてのサーバ蓄積データのタイトルを取得し、前記タイトル毎のサーバ蓄積データ数または全サーバ蓄積データ数に対する割合であるデータ数情報を算出し、前記データ数情報の多い順でタイトルをソートし、
前記データ数情報の多い順に１件以上前記タイトル及び前記データ数情報を前記指標データとして前記指標データ保存部またはサーバ蓄積データ保存部に保存することを特徴とする第１から３のいずれかの本発明の機器選択支援装置である。
【手続補正８】
【補正対象書類名】明細書
【補正対象項目名】００２９
【補正方法】変更
【補正の内容】
【００２９】
また、第１１の本発明は、
ネットワーク経由でサービスを提供するサーバが実行する機器選択支援方法であって、
所定のサーバ蓄積データを保存するサーバ蓄積データ保存ステップと、
前記サーバ蓄積データの特徴を表す情報である指標データを保存する指標データ保存ステップと、
前記クライアントからの前記指標データの取得リクエストを処理する指標データリクエスト処理ステップと、
前記サーバ蓄積データ保存ステップで保存されたデータより前記指標データを作成し、前記指標データを保存する指標データ処理ステップとを備え、
前記サービスを利用するクライアントとネットワーク通信を行うためのネットワークインタフェースに、前記指標データの取得リクエストが届くと、
前記指標データリクエスト処理ステップにおいては、前記指標データを取得し、前記ネットワークインタフェースより送信する、機器選択支援方法である。
【手続補正９】
【補正対象書類名】明細書
【補正対象項目名】００３０
【補正方法】変更
【補正の内容】
【００３０】
また、第１２の本発明は、
ネットワーク経由でサービスを提供するサーバが実行する機器選択支援方法であって、
クライアントからの所定のサーバ蓄積データの取得リクエストを処理するサーバ蓄積データ取得リクエスト処理ステップと、
前記サーバ蓄積データの特徴を表す情報である指標データを前記サーバ蓄積データのデータ形式に変換する指標データ変換ステップと、
前記サーバ蓄積データを保存するサーバ蓄積データ保存ステップと、
前記サーバ蓄積データ保存ステップで保存されたデータより前記指標データを作成し、前記指標データ変換ステップを用いて前記指標データを前記サーバ蓄積データのデータ形式に変換し、保存する指標データ処理ステップとを備え、
前記サービスを利用するクライアントとネットワーク通信を行うためのネットワークインタフェースに、前記指標データの取得リクエストが届くと、
前記サーバ蓄積データ取得リクエスト処理ステップにおいては、前記変換された指標データを前記サーバ蓄積データとして取得し、前記ネットワークインタフェースより送信する、機器選択支援方法である。
【手続補正１０】
【補正対象書類名】明細書
【補正対象項目名】００３１
【補正方法】変更
【補正の内容】
【００３１】
また、第１３の本発明は、
ネットワーク経由でサービスを提供するサーバが実行する機器選択支援方法であって、
所定のサーバ蓄積データを保存するサーバ蓄積データ保存ステップと、
前記サーバ蓄積データの特徴を表す情報である指標データを保存する指標データ保存ステップと、
前記クライアントからの前記指標データ以外のデータの取得リクエストを処理するリクエスト処理ステップと、
前記リクエストに対するレスポンスデータを作成するレスポンスデータ作成ステップと、
前記サーバ蓄積データ保存ステップで保存されたデータより前記指標データを作成し、前記指標データを保存する指標データ処理ステップとを備え、
前記サービスを利用するクライアントとネットワーク通信を行うためのネットワークインタフェースに、前記指標データ以外のデータの取得リクエストが届くと、
前記リクエスト処理ステップでは、前記指標データを取得し、前記レスポンスデータを取得し、前記レスポンスデータに前記指標データを追記し、前記ネットワークインタフェースを用いて送信する、機器選択支援方法である。
【手続補正１１】
【補正対象書類名】明細書
【補正対象項目名】００３５
【補正方法】変更
【補正の内容】
【００３５】
また、第１７の本発明は、第１４、１５又は１６の本発明のプログラムを記録した記録媒体であって、コンピュータにより処理可能な記録媒体である。
【手続補正１２】
【補正対象書類名】明細書
【補正対象項目名】００５７
【補正方法】変更
【補正の内容】
【００５７】
ネットワークインタフェースａ１０２を通じてリクエストのレスポンスを受け取ったネットワーク処理部１０３は（ステップ８０２）、ＤＤＤを図１０のような機器情報（機器Ｎｏに沿って、機器名、説明などを含む）と指標データ（機器Ｎｏごとに録画数の多いジャンルの１，２，３位など分類されている）に分け（ステップ８０３）、機器情報と対応した形でネットワーク処理部１０３に保存する（ステップ８０４）。
【手続補正１３】
【補正対象書類名】明細書
【補正対象項目名】００６１
【補正方法】変更
【補正の内容】
【００６１】
また、この方法を採用すると、指標データをクライアントであるＤＴＶ１０１で作成する、すなわちＤＴＶ１０１でＨＤＤ−ＤＶＤレコーダ１０５のすべての録画済番組のデータを取得してからジャンル別に録画済番組数を調べ、それから、ＤＴＶ１０１のモニタに表示する場合に比べ、ＤＴＶ１０１に必要なメモリが少なくて済み、ユーザがＤＴＶ１０１のリモコンを押してからＤＴＶ１０１のモニタに録画予約先機器一覧画面を表示するまでの時間も短くなる。
【手続補正１４】
【補正対象書類名】明細書
【補正対象項目名】００９４
【補正方法】変更
【補正の内容】
【００９４】
録画済番組データベース１２０９はデータが更新されると、それを指標データ処理部１２１０に通知する。次に指標データ処理部１２１０は予め保持している図４に示すジャンル情報について、録画済番組データベース１２０９に保持された各ジャンルの録画済番組数を取得する。この場合、図５ａの様な表が得られたとする（ステップ１３０１）。
【手続補正１５】
【補正対象書類名】明細書
【補正対象項目名】００９５
【補正方法】変更
【補正の内容】
【００９５】
次に、全データ数に対する各ジャンルの占める割合をパーセンテージで算出する。この場合、全録画数を２００件とすると、それに対する割合は図６の様になる（ステップ１３０２）。
【手続補正１６】
【補正対象書類名】明細書
【補正対象項目名】００９６
【補正方法】変更
【補正の内容】
【００９６】
次に割合が大きかったジャンルから順にソートする。この場合は図７ａの様になる（ステップ１３０３）。
【手続補正１７】
【補正対象書類名】明細書
【補正対象項目名】００９７
【補正方法】変更
【補正の内容】
【００９７】
最後に図７ａの上位５つを指標データ変換部１２１１に渡すと、指標データ変換部１２１１はそれを録画済番組に変換し、録画済番組データベース１２０９に保存する（ステップ１３０４）。
【手続補正１８】
【補正対象書類名】明細書
【補正対象項目名】０１０７
【補正方法】変更
【補正の内容】
【０１０７】
また、この方法を採用すると、指標データをクライアントであるＤＴＶ１２０１で作成する、すなわちＤＴＶ１２０１でＨＤＤ−ＤＶＤレコーダ１２０５のすべての録画済番組のデータを取得してからジャンル別に録画済番組数を調べ、ＤＴＶ１２０１のモニタに表示する場合に比べ、ＤＴＶ１２０１に必要なメモリが少なくて済み、ユーザがＤＴＶ１２０１のリモコンを押してからＤＴＶ１２０１のモニタに録画予約先機器一覧画面を表示するまでの時間も短くなる。
【手続補正１９】
【補正対象書類名】明細書
【補正対象項目名】０１１９
【補正方法】変更
【補正の内容】
【０１１９】
また、ＤＴＶ１２０１でＨＤＤ−ＤＶＤレコーダ１２０５からＣＤＳ：：Ｂｒｏｗｓｅをすべてのフォルダに対して行い、最も新しい録画済み番組５件を探し、ＤＴＶ１２０１のモニタに表示する場合に比べ、ＤＴＶ１２０１に必要なメモリが少なくて済み、表示速度も速くなる。
【手続補正２０】
【補正対象書類名】明細書
【補正対象項目名】０１２７
【補正方法】変更
【補正の内容】
【０１２７】
最後に図７ｃの上から５つのデータを指標データとして録画済番組データベース１２０９に保存する（ステップ１３０４ｂ）。
【手続補正２１】
【補正対象書類名】明細書
【補正対象項目名】０１２９
【補正方法】変更
【補正の内容】
【０１２９】
また、ＤＴＶ１２０１ですべてのＨＤＤ−ＤＶＤレコーダ１２０５の録画済番組のデータを取得してからタイトル別に録画済番組数を調べ、ＤＴＶ１２０１のモニタに表示する場合に比べ、ＤＴＶ１２０１に必要なメモリが少なくて済み、表示速度も速くなる。
【手続補正２２】
【補正対象書類名】明細書
【補正対象項目名】０１３９
【補正方法】変更
【補正の内容】
【０１３９】
また、１８０５は、ユーザがＤＴＶを通して操作しているネットワーク対応の録画機器であるＨＤＤ−ＤＶＤレコーダ、１８０６は、ＨＤＤ−ＤＶＤレコーダのネットワークのインタフェースｂ、１８０７は、ネットワークインタフェースｂ１８０６よりＤＴＶから録画先の機器を選ぶ指標になる指標データの取得リクエストを受信し、指標データ保存部１８１１から指標データを取得しネットワークインタフェースｂ１８０６よりレスポンスを送信する、ＨＤＤ−ＤＶＤレコーダの指標データリクエスト処理部、１８０９は、図２に示す録画済番組のタイトル情報などが記録されている録画済番組データベース、１８１０は、予めジャンル情報を持ち、録画済番組データベース１８０９より録画済情報を取得することで指標データを作成し、指標データ保存部１８１１に保存する指標データ処理部である。１８１１は、指標データが保存されている、指標データ保存部である。
【手続補正２３】
【補正対象書類名】明細書
【補正対象項目名】０１４４
【補正方法】変更
【補正の内容】
【０１４４】
家庭内ＬＡＮ１８１２にＨＤＤ−ＤＶＤレコーダ１８０５が接続されると、ネットワーク処理部１８０３はネットワークインタフェースａ１８０２を用いて、図１６の１６０１のようなＣＤＳ：：Ｘ＿ＧｅｔＳｅｌｅｃｔＩｎｆｏのリクエストを送る（ステップ１９０１）。
【手続補正２４】
【補正対象書類名】明細書
【補正対象項目名】０１５５
【補正方法】変更
【補正の内容】
【０１５５】
録画済番組データベース１８０９はデータが更新されると、それを指標データ処理部１８１０に通知する。次に指標データ処理部１８１０は録画済番組データベース１８０９から最新５件分の録画済番組の番組ＩＤ、タイトル名、チャンネル、ジャンル、録画開始時刻、録画終了時刻を取得する。この場合、図５ｂの様な情報が得られたとする（ステップ１９０１ａ）。
【手続補正２５】
【補正対象書類名】明細書
【補正対象項目名】０１７６
【補正方法】変更
【補正の内容】
【０１７６】
また、本発明の記録媒体は、上述した本発明の機器選択支援方法の全部又は一部のステップの全部又は一部の動作をコンピュータにより実行させるためのプログラムを記録した記録媒体であり、コンピュータにより読み取り可能且つ、読み取られた前記プログラムが前記コンピュータと協動して前記動作を実行する記録媒体である。